(57)【要約】【課題】視力回復トレーニング装置の構成の簡単化を図るとともに、トレーニング効率の向上化を図ることを目的とする。【解決手段】トレーニング者は、可動式凸レンズ１４が倒伏した状態の近方視標（＝ビデオ表示部１３）と、当該レンズが起立した状態の遠方視標（＝ビデオ表示部１３の虚像１３′）を交互に見る。可動式凸レンズ１４は回転式電磁石１４ａの作動により例えば５秒周期で(a) の倒伏状態と(b) の起立状態を繰り返す。トレーニング者が接眼する覗き窓１２の部分には、近方視標および遠方視標の位置調整用の追加レンズ（凸レンズ）を取り付けるためのスロット状部１５が形成されている。凸面鏡と平面鏡を選択的に作動させて、（図示の装置とは逆に）ビデオ表示部を遠方視標とし、その虚像を近方視標とする装置も開示している。図示の装置の方がコンパクトなものになる。【選択図】図１
2005143904.tif 000002
【特許請求の範囲】
【請求項１】
視認対象の遠方視標および近方視標を交互に出力する視力回復トレーニング装置において、
接眼部と、
前記視認対象の表示部と、
レンズ，鏡などの光学系要素を、前記接眼部および前記表示部の間の光路上に位置する状態と当該光路から外れた状態とに連続的に切替えることにより、前記遠方視標および前記近方視標を交互に設定する駆動手段とを備えた、
ことを特徴とする視力回復トレーニング装置。
【請求項２】
前記光学系要素として可動式の凸レンズを用い、
前記駆動手段は、前記凸レンズを移動させることにより、それが前記光路上に位置するときの前記遠方視標と、それが前記光路から外れたときの前記近方視標とを交互に設定する、
ことを特徴とする請求項１記載の視力回復トレーニング装置。
【請求項３】
前記光路が、非可動式の凸面鏡を含むものであり、
前記光学系要素として可動式の平面鏡を用い、
前記駆動手段は、前記平面鏡を移動させることにより、それが前記光路上に位置して前記凸面鏡を覆うときの前記遠方視標と、それが前記光路から外れたときの前記近方視標とを交互に設定する、
ことを特徴とする請求項１記載の視力回復トレーニング装置。
【請求項４】
前記接眼部の側に、前記遠方視標および前記近方視標の位置を調整するための追加レンズの取付部を設けた、
ことを特徴とする請求項１乃至３記載の視力回復トレーニング装置。
【発明の詳細な説明】
【技術分野】
【０００１】
本発明は、視力回復トレーニング装置に関し、特にトレーニング者がその視認対象の遠方視標および近方視標を交互に見ることができる視力回復トレーニング装置に関する。
【０００２】
一般に、視力回復のトレーニングにおいては、遠方視標と、近方視標（例えばトレーニング者の接眼部近くの視標）とを一定の周期で繰り返し見て、これにより眼球の移動筋肉や水晶体の厚み調整用筋肉を訓練することが効果的である。
【０００３】
そのため、遠方視標と近方視標とを反復してトレーニング者に自動的に提供でき、また子供などのトレーニング者が飽きずに少しでも興味を持ちながら集中して訓練できることが望ましく、本発明はこのような要請に応えるものである。
【背景技術】
【０００４】
従来、遠方視標と近方視標とを交互に所定時間ずつ繰り返し表示させるようにした視力回復トレーニング装置が知られている（例えば特許文献１参照）。
【０００５】
このトレーニング装置は、レンズ系とＬＣＤパネルとの相対的距離を調整することにより、所定の遠方視標と近方視標とがＬＣＤパネルに交互に表示されるようにしたものである。
【０００６】
そして、この相対的距離を調整するためのモータ、および当該モータに対する距離制御回路なども用いている。
【特許文献１】特開平８−２４３１３７号公報
【発明の開示】
【発明が解決しようとする課題】
【０００７】
以上のような、レンズ系とＬＣＤパネルとの相対的距離を調整する手法の視力回復トレーニング装置の場合、その構成が複雑になり製造コストも高く、結果的に利用者の負担が大きくなるなどの問題点があった。
【０００８】
そこで、本発明では、接眼部と視認対象表示部との間の光路にレンズや鏡などをいわばオン／オフさせて遠方指標と近方視標とを交互に繰り返し表示させ、さらには接眼部に指標位置調整用のレンズを選択的に設定できる態様として、視力回復トレーニング装置の構成の簡単化を図るとともに、トレーニング効率の向上化を図ることを目的とする。
【課題を解決するための手段】
【０００９】
本発明は、以上の課題を次のようにして解決する。
（１）視認対象の遠方視標および近方視標を交互に出力する視力回復トレーニング装置において、接眼部（例えば後述の覗き窓１２，２２）と、前記視認対象の表示部（例えば後述のビデオ表示部１３，２３）と、レンズ，鏡などの光学系要素（例えば後述の可動式凸レンズ１４，可動式平面鏡２６）を、前記接眼部および前記表示部の間の光路上に位置する状態（例えば後述の遠方指標モード）と当該光路から外れた状態（例えば後述の近方指標モード）とに連続的に切替えることにより、前記遠方視標および前記近方視標を交互に設定する駆動手段（例えば後述の回転式電磁石１４ａ，２６ａ）とを備える。
（２）上記（１）において、前記光学系要素として可動式の凸レンズ（例えば後述の可動式凸レンズ１４）を用い、前記駆動手段は、前記凸レンズを移動させることにより、それが前記光路上に位置するときの前記遠方視標と、それが前記光路から外れたときの前記近方視標とを交互に設定する。
（３）上記（１）において、前記光路が、非可動式の凸面鏡（例えば後述の凸面鏡２５）を含むものであり、前記光学系要素として可動式の平面鏡（例えば後述の可動式平面鏡２６）を用い、前記駆動手段は、前記平面鏡を移動させることにより、それが前記光路上に位置して前記凸面鏡を覆うときの前記遠方視標と、それが前記光路から外れたときの前記近方視標とを交互に設定する。
（４）上記（１）〜（３）において、前記接眼部の側に、前記遠方視標および前記近方視標の位置を調整するための追加レンズの取付部（例えば後述のスロット状部１５，２７）を設ける。
【発明の効果】
【００１０】
本発明によれば、このように、接眼部と視認対象表示部との間の光路に例えば凸レンズや平面鏡などを単に位置させたり当該光路から外したりすることにより、遠方指標と近方視標とを交互に設定しているので、視力回復トレーニング装置の構造の簡単化や製造コストの低減化を図ることができる。
【００１１】
また、指標位置調整用レンズを選択的に追加設定するためのレンズ取付部を接眼部側にに設けているので、一義的なトレーニングではなく、トレーニング者の初期視力や視力回復度に応じた最適なトレーニング環境を提供することができる。
【発明を実施するための最良の形態】
【００１２】
本発明の実施の形態を図１乃至図６を用いて説明する。
【００１３】
各図のうち、
図１は、視力回復トレーニング装置（その１）における近方視標モード(a) と遠方視標モード(b) とを示し、
図２は、視力回復トレーニング装置（その１）の全体構成を示し、
図３は、視力回復トレーニング装置（その２）における近方視標モード(a) と遠方視標モード(b) とを示し、
図４は、視力回復トレーニング装置（その２）の全体構成を示し、
図５は、視力回復トレーニング装置（その１）における指標距離変化例を示し、
図６は、視力回復トレーニング装置（その２）における指標距離変化例を示している。
【００１４】
図１乃至図６において、
１は全体が直方体状でコンパクトな視力回復トレーニング装置（その１），
１１は外形寸法が例えば横幅２００mm，高さ２２０mm，奥行２８０mmの筐体，
１２はトレーニング者が接眼する覗き窓，
１３は近方視標となるビデオ表示部（液晶モニター），
１３′はビデオ表示部１３の虚像（＝遠方視標），
１４は遠方視標を形成するための可動式凸レンズ，１４ａは筐体１１の内側基部に取り付けられて当該可動式凸レンズの倒伏状態(a) および起立状態(b) を例えば 5秒の周期で交互に設定するための回転式電磁石（ロータリーソレノイド），１４ｂはトレーニング者が当該周期を指定するための周期操作部（タイマー），
１５は覗き窓１２の（ビデオ表示部１３の方の）直後に形成したスロット状部，１５ａはトレーニング者の視力状態や回復程度に応じて近方視標および遠方視標の位置を調整するため当該スロット状部に選択的に取り付けられる調整用追加レンズ（凸レンズまたは必要に応じて凹レンズ），１５ｂは覗き窓１２の片方の眼部分を隠すため当該スロット状部に選択的に取り付けられるブラインド板，
１６はビデオ記録媒体（ＤＶＤやビデオテープなどの記録媒体）の再生部，１６ａはビデオ記録媒体の挿入口，１６ｂはビデオ記録媒体の動作状況などを含む各種情報を呈示する表示部，１６ｃは音量操作部，１６ｄはイヤホン端子，
１７は電源スイッチ，
２は視力回復トレーニング装置（その２），
２１は外形寸法がほぼ横幅４５０mm，高さ３６５mm，奥行４００mm〜８００mmの筐体，
２２はトレーニング者が接眼する覗き窓，
２３は遠方視標となるビデオ表示部（液晶モニター），
２３′はビデオ表示部２３の虚像（＝近方視標），
２４は覗き窓２２に対するかたちで筐体２１に固定された平面鏡，
２５はビデオ表示部２３および平面鏡２４のそれぞれに対するかたちで筐体２１に固定された近方視標形成用の凸面鏡，
２６は凸面鏡２５に代わってビデオ表示部２３（＝遠方視標）の実像をそのままトレーニング者に呈示するための可動式平面鏡，２６ａは筐体１１の内側基部に取り付けられて当該可動式平面鏡をその倒伏状態(a) と起立状態(b) とに例えば５秒の周期で交互に切り替えるための回転式電磁石（ロータリーソレノイド），２６ｂはトレーニング者が当該周期を指定するための周期操作部（タイマー），２６ｃはトレーニング者が当該回転式電磁石の周期動作を開始させるためのスタート操作部，２６ｄはトレーニング者が当該回転式電磁石の周期動作を終了させるためのストップ操作部，
２７は覗き窓２２の（ビデオ表示部２３の方の）直後に形成したスロット状部，２７ａはトレーニング者の視力状態，回復程度に応じて近方視標および遠方視標の位置を調整するため当該スロット状部に選択的に取り付けられる調整用追加レンズ（凸レンズまたは必要に応じて凹レンズ），２７ｂは覗き窓の片方の眼部分を隠すため当該スロット状部に選択的に取り付けられるブラインド板，
２８はビデオ記録媒体（ＤＶＤやビデオテープなどの記録媒体）の再生装置，２８ａは音量操作部，２８ｂはイヤホン端子，
２９は電源スイッチ，
をそれぞれ示している。
【００１５】
ここで、電源スイッチ１７，２９をオンにして例えばアニメのＤＶＤを挿入口１６ａや再生装置２８にセットした状態で再生すると、ＤＶＤの再生画像がビデオ表示部１３，２３に出力される。
【００１６】
図１および図２の視力回復トレーニング装置１の場合、トレーニング者は、
・可動式凸レンズ１４が倒伏した状態の近方視標（＝ビデオ表示部１３）
・可動式凸レンズ１４が起立した状態の遠方視標（＝ビデオ表示部１３の虚像１３′）
を交互に見ることができる。なお、ビデオ表示部１３は可動式凸レンズ１４の焦点距離の範囲内に位置している。
【００１７】
図１の、
・近方視標モード(a) では、覗き窓１２−ビデオ表示部１３の光路が形成され、
・遠方視標モード(b) では、覗き窓１２−可動式凸レンズ１４−（ビデオ表示部１３の）虚像１３′の光路が形成されている。
【００１８】
図３および図４の視力回復トレーニング装置２の場合、トレーニング者は、
・可動式平面鏡２６が倒伏した状態の近方視標（＝ビデオ表示部２３の虚像２３′）
・可動式平面鏡２６が起立した状態の遠方視標（＝ビデオ表示部２３）
を交互に見ることができる。
【００１９】
図３の、
・近方視標モード(a) では、覗き窓２２−平面鏡２４−凸面鏡２５−（ビデオ表示部２３の）虚像２３′の光路が形成され、
・遠方視標モード(b) では、覗き窓２２−平面鏡２４−可動式平面鏡２６−ビデオ表示部２３の光路が形成されている。
【００２０】
視力回復トレーニング装置１，２のいずれにおいても、トレーニング者は、覗き窓１２，２２から近方視標位置の画像と遠方視標位置の画像とを交互に見ることができる。
【００２１】
視力回復トレーニング装置１はビデオ表示部１３を近方視標として用い、視力回復トレーニング装置２はビデオ表示部２３を遠方視標として用いている。そのため、視力回復トレーニング装置１の方が装置全体（筐体）のコンパクト化を図れる。
【００２２】
これらの装置を用いた視力回復トレーニングでは、可動式凸レンズ１４，凸面鏡２５や調整用追加レンズ１５ａ，２７ａの度数・焦点距離などを調整して、近方視標距離および遠方視標距離を変化させることができる。
【００２３】
これは、トレーニング者の近視の程度（強近視者，中近視者，弱近視者）に応じてトレーニング開始時の近方視標距離・遠方視標距離（＝いわば初期値）を調整するため、また、トレーニングにともなう視力回復にともなって当該初期値をより大きな値にシフトさせるためである。
【００２４】
概していえば、トレーニング者にとって、近方視標距離側では容易に対象画像を認識でき、遠方視標距離では対象画像を識別することが若干困難であるような近方視標距離・遠方視標距離の設定状態が望ましい。
【００２５】
図５は、図１および図２の視力回復トレーニング装置（その１）における視標距離変化例を示す説明図である。
【００２６】
ここで、可動式凸レンズ１４の倒伏状態である近方視標距離は、調整用追加レンズ（凸レンズ）１５ａの使用態様に応じて、
・当該追加レンズを用いない場合→２３０mm
・当該追加レンズの度数が「＋0.5 」の場合→２６０mm
・当該追加レンズの度数が「＋1.0 」の場合→２９９mm
となる。
【００２７】
また、可動式凸レンズ１４の起立状態である遠方視標距離は、調整用追加レンズ（凸レンズ）１５ａの使用態様に応じて、
(1) 可動式凸レンズ１４の度数が「＋2.5 」の場合
・当該追加レンズを用いないとき→５４１mm
・当該追加レンズの度数が「＋0.5 」のとき→７４２mm
・当該追加レンズの度数が「＋1.0 」のとき→１１７９mm
(2) 可動式凸レンズ１４の度数が「＋3.0 」の場合
・当該追加レンズを用いないとき→７４２mm
・当該追加レンズの度数が「＋0.5 」のとき→１１７９mm
・当該追加レンズの度数が「＋1.0 」のとき→２８７５mm
(3) 可動式凸レンズ１４の度数が「＋3.5 」の場合
・当該追加レンズを用いないとき→１１７９mm
・当該追加レンズの度数が「＋0.5 」のとき→２８７５mm
・当該追加レンズの度数が「＋1.0 」のとき→∞
となる。
【００２８】
ここで、可動式凸レンズ１４および調整用追加レンズ（凸レンズ）１５ａの選択態様としては、例えば、
(a) 強近視者の場合は、『可動式凸レンズ１４の度数が「＋2.5 」で, 調整用追加レンズ（凸レンズ）１５ａの使用なし』を初期状態とし、視力の回復に応じて当該追加レンズの度数を増やしていく、
(b) 中近視者の場合は、『可動式凸レンズ１４の度数が「＋3.0 」で, 調整用追加レンズ（凸レンズ）１５ａの使用なし』を初期状態とし、視力の回復に応じて当該追加レンズの度数を増やしていく、
(c) 弱近視者の場合は、『可動式凸レンズ１４の度数が「＋3.5 」で, 調整用追加レンズ（凸レンズ）１５ａの使用なし』を初期状態とし、視力の回復に応じて当該追加レンズの度数を増やしていく、
ようにすればよい。
【００２９】
もっとも、トレーニング者の視力に応じた近方視標距離，遠方視標距離の初期値を選択しその後の回復の程度に応じて当該距離値を大きくしていくという前提の下で、他の任意の選択態様をとってもよいことは勿論である。また、例えば遠方視標距離の最小値（図５の場合は５４１mm）の位置に対しても焦点を合わせることが困難なトレーニング者の場合には、調整用追加レンズ１５ａとして凹レンズを用い、当該位置をもっとトレーニング者側に近づければよい。この任意の選択態様および凹レンズの使用は図３および図４の視力回復トレーニング装置２の場合にも勿論いえることである。
【００３０】
図６は、図３および図４の視力回復トレーニング装置（その２）における視標距離変化例を示す説明図である。
【００３１】
ここでは、図６(a) で示すように、
・トレーニング者の眼から調整用追加レンズ２７ａまでの距離を５０mm
・調整用追加レンズ２７ａから平面鏡２４までの距離を５０mm
・平面鏡２４から凸面鏡２５または可動式平面鏡２６までの距離を８０mm
・凸面鏡２５または可動式平面鏡２６からビデオ表示部２３までの距離を４００mm
としている。
【００３２】
すなわち、トレーニング者の眼から、調整用追加レンズ２７ａ−平面鏡２４−凸面鏡２５（または可動式平面鏡２６）を経てビデオ表示部２３までの距離は５８０（＝５０＋５０＋８０＋４００）mmである。なお、凸面鏡２５は例えば「Ｒ400 」のミラーを用いている。
【００３３】
このとき、可動式平面鏡２６が倒伏状態（凸面鏡２５を使用）である近方視標距離は、調整用追加レンズ（凸レンズ）２７ａの使用態様に応じて、
・当該追加レンズを用いない場合→３１３mm
・当該追加レンズが「Ｒ4000」の場合→３５３mm
・当該追加レンズが「Ｒ2000」の場合→４５７mm
・当該追加レンズが「Ｒ1000」の場合→６０４mm
となる。
【００３４】
また、可動式平面鏡２６が起立状態（使用状態）である遠方視標距離は、調整用追加レンズ（凸レンズ）２７ａの使用態様に応じて、
・当該追加レンズを用いない場合→５８０mm
・当該追加レンズが「Ｒ4000」の場合→７７１mm
・当該追加レンズが「Ｒ2000」の場合→１１７７mm
・当該追加レンズが「Ｒ1000」の場合→２４７３mm
となる。
【００３５】
ここで、調整用追加レンズ（凸レンズ）２７ａとして「Ｒ2000」のレンズを用いた場合には「0.8 」程度までのトレーニングが可能あり、また、「Ｒ1000」のレンズを用いた場合には「1.2 」程度までのトレーニングが可能であると考えられる。
【００３６】
視力回復トレーニング装置それぞれのビデオ表示部１３，２３の表示内容は任意のものでよく、例えば動画，静止画，文字などやそれらを混合したもののいずれでもよい。さらには、テレビの受信画像などを用いてもよい。また、再生部１６や再生装置２８から得られる音声信号などをスピーカ，イヤホン（図示省略）に供給するようにしてもよい。
【００３７】
また、回転式電磁石１４ａ，２６ａの代わりにモータやカムなどを用いた駆動機構を用いるようにしてもよい。
【図面の簡単な説明】
【００３８】
【図１】本発明の、視力回復トレーニング装置（その１）における近方視標モード(a) と遠方視標モード(b) とを示す説明図である。
【図２】本発明の、視力回復トレーニング装置（その１）の全体構成を示す説明図である。
【図３】本発明の、視力回復トレーニング装置（その２）における近方視標モード(a) と遠方視標モード(b) とを示す説明図である。
【図４】本発明の、視力回復トレーニング装置（その２）の全体構成を示す説明図である。
【図５】本発明の、視力回復トレーニング装置（その１）における指標距離変化例を示す説明図である。
【図６】本発明の、視力回復トレーニング装置（その２）における指標距離変化例を示す説明図である。
【符号の説明】
【００３９】
１：視力回復トレーニング装置（その１）
１１：筐体
１２：覗き窓
１３：近方視標となるビデオ表示部（液晶モニター）
１３′：ビデオ表示部１３の虚像（＝遠方視標）
１４：可動式凸レンズ
１４ａ：回転式電磁石（ロータリーソレノイド）
１４ｂ：周期操作部（タイマー）
１５：スロット状部
１５ａ：調整用追加レンズ
１５ｂ：ブラインド板
１６：ビデオ記録媒体（ＤＶＤやビデオテープなどの記録媒体）の再生部
１６ａ：ビデオ記録媒体の挿入口
１６ｂ：表示部
１６ｃ：音量操作部
１６ｄ：イヤホン端子
１７：電源スイッチ
２：視力回復トレーニング装置（その２）
２１：筐体
２２：覗き窓
２３：遠方視標となるビデオ表示部（液晶モニター）
２３′：ビデオ表示部２３の虚像（＝近方視標）
２４：筐体２１に固定された平面鏡
２５：筐体２１に固定された凸面鏡
２６：可動式平面鏡
２６ａ：回転式電磁石（ロータリーソレノイド）
２６ｂ：周期操作部（タイマー）
２６ｃ：回転式電磁石のスタート操作部
２６ｄ：回転式電磁石のストップ操作部
２７：スロット状部
２７ａ：調整用追加レンズ
２７ｂ：ブラインド板
２８：ビデオ記録媒体（ＤＶＤやビデオテープなどの記録媒体）の再生装置
２８ａ：音量操作部
２８ｂ：イヤホン端子
２９：電源スイッチ
【図１】
2005143904.tif 000003
【図２】
2005143904.tif 000004
【図３】
2005143904.tif 000005
【図４】
2005143904.tif 000006
【図５】
2005143904.tif 000007
【図６】
2005143904.tif 000008